(57)【特許請求の範囲】
【請求項１】
止着ボルトを挿通するボルト挿通孔を設けた羽子板部に連結ボルト部を突設した柱材連結金具において、前記羽子板部のボルト挿通孔の表面周囲に、このボルト挿通孔に挿通した止着ボルトの角形ボルト頭部若しくはこの止着ボルトに螺着する角形ナットの角形外周辺に当接若しくは近接対向する回り止め用凸辺部を設け、この回り止め用凸辺部は、前記羽子板部の裏側より表側に向かってプレス成形により羽子板部の板縁より連設状態に膨出形成した膨出部の内側の立ち上がり段側面をこの回り止め用凸辺部として構成すると共に、前記ボルト挿通孔に挿通した止着ボルトの角形ボルト頭部若しくはこの止着ボルトに螺着する角形ナットの外周六辺面のうちの一方側の三辺面に当接若しくは近接対向する三辺形の一方側回り止め用凸辺部を羽子板部の板縁より連設状態に膨出形成し、この一方側回り止め凸辺部と反対側に対向状態に三辺形の反対側回り止め用凸辺部を羽子板部の板縁より連設状態に膨出形成し、この一方側回り止め凸辺部と反対側回り止め凸辺部とにより前記六辺面を把持する形状に前記回り止め用凸辺部を構成したことを特徴とする柱材連結金具。
【発明の詳細な説明】
【０００１】
【発明の属する技術分野】
本発明は、例えば柱と梁とを連結固定する柱材連結金具（羽子板ボルト）に関するものである。
【０００２】
【従来の技術及び発明が解決しようとする課題】
従来の羽子板ボルトは、図４に示すように止着面に当接するボルト挿通孔２を有する羽子板部１と、連結部材側に貫通する連結ボルト部３とから成るものである。
【０００３】
例えば、梁の側面に直接若しくは梁の側面に当てがった添え木の側面に、この羽子板ボルトの羽子板部を当てがって、この梁を貫通した止着ボルトを羽子板部のボルト挿通孔を通してナットなどでボルト止めし（ナットを螺着して締め付け）、羽子板部から突設された連結ボルト部を柱に貫通させてナットなどでボルト止めし、柱と梁とを連結固定する。
【０００４】
しかしながら、止着ボルトを羽子板部のボルト挿通孔を通してナットなどでボルト止め（ナットを螺着して締め付け）する場合、羽子板部のボルト挿通孔の表面に係止する止着ボルトの頭部若しくは止着ボルトに螺着するナットなどが空回りしてしまい、止着ボルトを羽子板部のボルト挿通孔に容易に確実に素早く締め付け固定することが難しいという問題がある。
【０００５】
本発明は、このような問題を解決し、羽子板部と止着ボルトとの連結を素早く確実にしかも容易にでき、実用性に秀れた画期的な柱材連結金具を提供することを目的としている。
【０００６】
【課題を解決するための手段】
添付図面を参照して本発明の要旨を説明する。
【０００７】
止着ボルト４を挿通するボルト挿通孔２を設けた羽子板部１に連結ボルト部３を突設した柱材連結金具において、前記羽子板部１のボルト挿通孔２の表面周囲に、このボルト挿通孔２に挿通した止着ボルト４の角形ボルト頭部５若しくはこの止着ボルト４に螺着する角形ナット９の角形外周辺に当接若しくは近接対向する回り止め用凸辺部８を設け、この回り止め用凸辺部８は、前記羽子板部１の裏側より表側に向かってプレス成形により羽子板部１の板縁より連設状態に膨出形成した膨出部の内側の立ち上がり段側面をこの回り止め用凸辺部８として構成すると共に、前記ボルト挿通孔２に挿通した止着ボルト４の角形ボルト頭部５若しくはこの止着ボルト４に螺着する角形ナット９の外周六辺面のうちの一方側の三辺面に当接若しくは近接対向する三辺形の一方側回り止め用凸辺部８Ａを羽子板部１の板縁より連設状態に膨出形成し、この一方側回り止め凸辺部８Ａと反対側に対向状態に三辺形の反対側回り止め用凸辺部８Ｂを羽子板部１の板縁より連設状態に膨出形成し、この一方側回り止め凸辺部８Ａと反対側回り止め凸辺部８Ｂとにより前記六辺面を把持する形状に前記回り止め用凸辺部８を構成したことを特徴とする柱材連結金具に係るものである。
【０００８】
【発明の実施の形態】
好適と考える本発明の実施の形態（発明をどのように実施するか）を、図面に基づいてその作用効果を示して簡単に説明する。
【０００９】
羽子板部１のボルト挿通孔２の表面周囲に、このボルト挿通孔２に挿通した止着ボルト４の角形ボルト頭部５若しくはこの止着ボルト４に螺着する角形ナット９の角形外周辺面のうちの少なくとも二組以上の対向辺面に当接若しくは近接対向する回り止め用凸辺部８を膨出形成したから、ボルト挿通孔２に挿通した止着ボルト４の角形ボルト頭部５若しくはこの止着ボルト４に螺着する角形ナット９の角形外周辺面が、羽子板部１のボルト挿通孔２の表面周囲に膨出形成した回り止め用凸辺部８に係止され、止着ボルト４の角形ボルト頭部５若しくは止着ボルト４に螺着する角形ナット９が羽子板部１の表面で回動したりすることが防止され、止着ボルト４を羽子板部１のボルト挿通孔２に容易に確実に素早く締め付け固定することができ、例えば柱６と梁７とを確実にしかも素早く連結固定でき、従来に比べて柱６と梁７との連結強度を向上させることができる。
【００１０】
また、止着ボルト４の六角形ボルト頭部５若しくは止着ボルト４に螺着する六角形ナット９の外周六辺面のうちの一方側の三辺面に当接若しくは近接対向する三辺形の一方側回り止め用凸辺部８Ａを羽子板部１の表面の一方側に膨出形成し、この一方側回り止め用凸辺部８Ａの反対側に対向状態に三辺形の反対側回り止め用凸辺部８Ｂを膨出形成し、一方側回り止め用凸辺部８Ａと回り止め用凸辺部８Ｂとにより前記六辺面を握持する状態にして回り止め用凸辺部８を構成したから、六角形ボルト頭部５若しくは六角形ナット９の外周六辺面のうちの一方側の三辺面が一方側回り止め用凸辺部８Ａに確実に係止されると共に、他方側の三辺面が反対側回り止め用凸辺部８Ｂに確実に係止され、六角形ボルト頭部５若しくは六角形ナット９が羽子板部１の表面で空回りするようなことが確実に防止され、六角形ボルト頭部５若しくは六角形ナット９の外周六辺面が一方側回り止め用凸辺部８Ａと反対側回り止め用凸辺部８Ｂとに確実に係止され、止着ボルト４を羽子板部１のボルト挿通孔２により確実に締め付け固定することができる。
【００１１】
また、羽子板部１の裏側より表側に向かって膨出し、且つ羽子板部１の板縁より連結状態に膨出して、この膨出部の内側の立ち上がり段側面を回り止め用凸辺部８としたから、羽子板部１の表面に回り止め用凸部材を設けたりする場合に比べ、回り止め用凸辺部８を羽子板部１と一体にプレス成形するから、回り止め用凸辺部８の形成が簡易にできると共に、回り止め用凸辺部８が変形したり外れたりするようなことなく止着ボルト４を羽子板部１のボルト挿通孔２に確実に締め付け固定することができる。
【００１２】
さらに、羽子板部１の板縁より連結状態に膨出して、この膨出部の内側の立ち上がり段側面を回り止め用凸辺部８としたから、この立ち上がり段側面に角形ボルト頭部５若しくは角形ナット９が安定した状態で確実に係止され、角形ボルト頭部５若しくは角形ナット９が羽子板部１の表面で回動するようなことが確実に防止され、止着ボルト４を羽子板部１のボルト挿通孔２に確実に締め付け固定することができる。
【００１３】
【実施例】
本発明の一実施例に係る柱材連結金具に関して以下図面に基づき説明する。
【００１４】
本実施例は、図１〜図３に図示したように、止着ボルト４を挿通するボルト挿通孔２を設けた羽子板部１に連結ボルト部３を突設した柱材連結金具において、前記羽子板部１のボルト挿通孔２の表面周囲に、このボルト挿通孔２に挿通した止着ボルト４の角形ボルト頭部５若しくはこの止着ボルト４に螺着する角形ナット９の角形外周辺面の対向辺面に当接若しくは近接対向する回り止め用凸辺部８を膨出形成したものであり、前記羽子板部１の表面の一方側に、前記ボルト挿通孔２に挿通した止着ボルト４の六角形ボルト頭部５若しくはこの止着ボルト４に螺着する六角形ナット９の外周六辺面のうちの一方側の三辺面に当接若しくは近接対向する三辺形の一方側回り止め用凸辺部８Ａを膨出形成し、この一方側回り止め用凸辺部８Ａの反対側に対向状態に三辺形の反対側回り止め用凸辺部８Ｂを膨出形成し、この一方側回り止め用凸辺部８Ａと反対側回り止め用凸辺部８Ｂとにより前記六辺面を把持する状態にして前記回り止め用凸辺部８を構成したものであり、前記羽子板部１の裏側より表側に向かって膨出し、且つ羽子板部１の板縁より連設状態に膨出して、この膨出部の内側の立ち上がり段側面を前記回り止め用凸辺部８としたものである。
【００１５】
尚、膨出部の内側の立ち上がり段側面は、ボルト挿通孔２の表面側の両側に立ち上がり段側面を各々三面づつ形成し、これらの立ち上がり段側面で止着ボルト４の六角形ボルト頭部５若しくは六角形ナット９の外周六辺面を確実に安定した状態で係止できるようにしている。
【００１６】
本実施例の柱材連結金具（羽子板ボルト）を用いて、柱６と梁７とを連結固定する方法について図３に基づき説明する。
【００１７】
柱６には予め連結ボルト部３を挿通できる孔12を設け、この柱６に連結固定する梁７には予め本実施例の柱材連結金具に設けた止着ボルト４を挿通するためのボルト挿通孔８に止着ボルト４を挿通できるように、止着ボルト４を挿通できる孔を適宜設ける。
【００１８】
柱６と梁７との連結固定部において、柱６に設けた孔12に本実施例の柱材連結金具の連結ボルト部３を梁７との連結側より挿入し、連結ボルト部３の螺着部10を柱６の反対側に突出させ、ボルト挿通孔２を梁７に設けた孔の位置に当接し、梁７に設けた孔に柱材連結金具の当接面と反対側から止着ボルト４を挿入して止着ボルト４の螺着部11をボルト挿通孔２に突出させ、ボルト挿通孔２から突出した止着ボルト４の螺着部11に角形ナット９（六角ナット）を螺着する。
【００１９】
止着ボルト４の螺着部11に角形ナット９を螺着する際には、角形ナット９は柱材連結金具の羽子板部１に形成した回り止め用凸辺部８に係止されるから、止着ボルト４の角形ボルト頭部５（六角形ボルト頭部）を回動して柱材連結金具を梁７に連結固定する際に角形ナット９が羽子板部１の表面で空回りするようなことなく確実にしかも容易に止着ボルト４を締め付け固定することができる。
【００２０】
尚、止着ボルト４は羽子板部１の表面側からボルト挿通孔２を介して梁７に設けた孔に挿入し、梁７の反対側に止着ボルト４の螺着部11を突出させ、梁７の孔から突出した止着ボルト４の螺着部11にワッシャを介して角形ナット９を螺着してもよい。
【００２１】
この場合には、止着ボルト４の角形ボルト頭部５が羽子板部１に形成した回り止め用凸辺部８に係止されるから、止着ボルト４の螺着部11に螺着する角形ナット９を回動して柱材連結金具を梁７に連結固定する際に角形ボルト頭部５が羽子板部１の表面で空回りするようなことなく確実にしかも容易に止着ボルト４を締め付け固定することができる。
【００２２】
また、柱６の反対側に突出させた連結ボルト部３の螺着部10にはワッシャ13を介してナット14を回動して螺着固定する。
【００２３】
以上のように、柱材連結金具の連結ボルト部３を柱６に連結固定し、止着ボルト４で梁７と柱材連結金具とを連結固定することにより、柱６と梁７とを柱材連結金具を介して非常に強固にしかも素早く確実に連結固定することができる。
【００２４】
図中符号15は根太、符号16は根太枠、符号17は床板である。
【００２５】
【発明の効果】
本発明は上述のように構成したから、羽子板部のボルト挿通孔の表面周囲に、このボルト挿通孔に挿通した止着ボルトの角形ボルト頭部若しくはこの止着ボルトに螺着する角形ナットの角形外周辺面の対向辺面に当接若しくは近接対向する回り止め用凸辺部を膨出形成したから、ボルト挿通孔に挿通した止着ボルトの角形ボルト頭部若しくはこの止着ボルトに螺着する角形ナットの角形外周辺面が、羽子板部のボルト挿通孔の表面周囲に膨出形成した回り止め用凸辺部に係止され、止着ボルトの角形ボルト頭部若しくは止着ボルトに螺着する角形ナットが羽子板部の表面で回動したりすることが防止され、止着ボルトを羽子板部のボルト挿通孔に容易に確実に素早く締め付け固定することができ、例えば柱と梁とを確実にしかも素早く連結固定でき、従来に比べて柱と梁との連結強度を向上させることができる。
【００２６】
即ち、止着ボルトの六角形ボルト頭部若しくは止着ボルトに螺着する六角形ナットの外周六辺面のうちの一方側の三辺面に当接若しくは近接対向する三辺形の一方側回り止め用凸辺部を羽子板部の表面の一方側に膨出形成し、この一方側回り止め用凸辺部の反対側に対向状態に三辺形の反対側回り止め用凸辺部を膨出形成し、回り止め用凸辺部と回り止め用凸辺部とにより前記六辺面を把持する状態にして回り止め用凸辺部を構成したから、六角形ボルト頭部若しくは六角形ナットの外周六辺面のうちの一方側の三辺面が回り止め用凸辺部に確実に係止されると共に、他方側の三辺面が反対側回り止め用凸辺部に確実に係止され、六角形ボルト頭部若しくは六角形ナットが羽子板部の表面で空回りするようなことが確実に防止され、六角形ボルト頭部若しくは六角形ナットの外周六辺面が回り止め用凸辺部と反対側回り止め用凸辺部とに確実に係止され、止着ボルトを羽子板部のボルト挿通孔により確実に締め付け固定することができる。
【００２７】
また、羽子板部の裏側より表側に向かって膨出し、且つ羽子板部の板縁より連結状態に膨出して、この膨出部の内側の立ち上がり段側面を回り止め用凸辺部としたから、羽子板部の表面に回り止め用凸部材を設けたりする場合に比べ、回り止め用凸辺部を羽子板部と一体にプレス成形するから、回り止め用凸辺部の形成が簡易にできると共に、回り止め用凸辺部が変形したり外れたりするようなことなく止着ボルトを羽子板部のボルト挿通孔に確実に締め付け固定することができる。
【００２８】
さらに、羽子板部の板縁より連結状態に膨出して、この膨出部の内側の立ち上がり段側面を回り止め用凸辺部としたから、この立ち上がり段側面に角形ボルト頭部若しくは角形ナットが安定した状態で確実に係止され、角形ボルト頭部若しくは角形ナットが羽子板部の表面で回動するようなことが確実に防止され、止着ボルトを羽子板部のボルト挿通孔に確実に締め付け固定することができる。
【図面の簡単な説明】
【図１】  本発明の一実施例に係る柱材連結金具及び止着ボルトを示す斜視図である。
【図２】  本発明の一実施例に係る柱材連結金具と止着ボルトとの連結状態を示す斜視図である。
【図３】  本発明の一実施例に係る柱材連結金具の使用状態を示す説明図である。
【図４】  従来の柱材連結金具を示す斜視図である。
【符号の説明】
１  羽子板部
２  ボルト挿通孔
３  連結ボルト部
４  止着ボルト
５  角形ボルト頭部，六角形ボルト頭部
８  回り止め用凸辺部
８Ａ  一方側回り止め用凸辺部
８Ｂ  反対側回り止め用凸辺部
９  角形ナット，六角形ナット
【図１】
0004059550.tif 000002
【図２】
0004059550.tif 000003
【図３】
0004059550.tif 000004
【図４】
0004059550.tif 000005